(57)【要約】【課題】  スロー再生時に迅速に再生画像を出力する。【解決手段】  テープ状記録媒体を搬送し、ＭＰＥＧ符号化された画像データを含む画像データを前記テープ状記録媒体から再生する再生手段と、前記再生手段により再生された画像データを記憶するメモリと、前記メモリに記憶された画像データを読み出して復号する復号手段と、標準再生時よりも遅い速度で前記画像データを再生するスロー再生モードの開始の指示に応じて、所定量の前記画像データが前記メモリに蓄積されるまで前記テープ状記録媒体を前記標準再生時の搬送速度で搬送しながら前記画像データを再生し、その後、前記スロー再生モードに対応した速度で前記テープ状記録媒体を搬送して前記画像データを再生するよう前記再生手段を制御する制御手段とを備える。【選択図】  図４
2006020195.tif 000002
【特許請求の範囲】
【請求項１】
テープ状記録媒体を搬送し、フレーム内符号化とフレーム間予測符号化とをフレーム毎に選択的に用いて符号化された画像データを含む画像データ列を前記テープ状記録媒体から再生する再生手段と、
前記再生手段により再生された画像データ列を記憶するメモリと、
前記メモリに記憶された画像データを読み出して復号する復号手段と、
標準再生時よりも遅い速度で前記画像データを再生するスロー再生モードの開始の指示に応じて、所定量の前記画像データが前記メモリに蓄積されるまで前記テープ状記録媒体を前記標準再生時の搬送速度で搬送しながら前記画像データを再生し、その後、前記スロー再生モードに対応した速度で前記テープ状記録媒体を搬送して前記画像データを再生するよう前記再生手段を制御する制御手段とを備える再生装置。
【請求項２】
前記画像データ列は前記画像データの復号時に前記メモリに蓄積されている画像データのデータ量に係る蓄積量情報を含み、前記制御手段は、前記再生手段により再生された蓄積量情報に基づいて前記所定量を決定することを特徴とする請求項１記載の再生装置。
【請求項３】
前記制御手段は、前記スロー再生モード開始の指示後、最初に再生された前記フレーム内符号化フレームの画像データから前記メモリへの蓄積を開始すると共に、前記最初に再生されたフレーム内符号化フレームの蓄積量情報に基づいて前記所定量を決定することを特徴とする請求項２記載の再生装置。
【請求項４】
前記制御手段は更に、前記スロー再生モードに対応した速度で前記テープ状記録媒体の搬送を開始した後、前記再生手段により再生された蓄積量情報に基づいて決定した情報量と実際に前記メモリに蓄積されている画像データの情報量との差に基づいて前記テープ状記録媒体の搬送速度を調整することを特徴とする請求項２記載の再生装置。
【請求項５】
前記蓄積量情報を含む付加情報が前記フレーム内符号化された画像データに対応して付加されていることを特徴とする請求項２記載の再生装置。
【請求項６】
前記制御手段は、前記画像データの復号を開始するために必要な所定量の前記画像データが前記メモリに蓄積されるまで前記テープ状記録媒体を前記標準再生時の搬送速度で搬送しながら前記画像データを再生するよう前記再生手段を制御する制御手段とを備える再生装置。
【請求項７】
テープ状記録媒体を搬送し、ＭＰＥＧ方式にて符号化された画像データを含む画像データ列を前記テープ状記録媒体から再生する再生手段と、
前記再生手段により再生された画像データ列から前記符号化された画像データを検出して画像メモリに蓄積すると共に、前記画像データのＶＢＶ−Ｄｅｌａｙ情報を含む付加情報を検出して付加情報メモリに格納する検出手段と、
前記画像メモリに記憶された画像データを読み出して復号する復号手段と、
標準再生時よりも遅い速度で前記画像データを再生するスロー再生モードの開始の指示に応じて、前記付加情報メモリに格納されたＶＢＶ−Ｄｅｌａｙ情報より算出した所定量の前記画像データが前記メモリに蓄積されるまで前記テープ状記録媒体を前記標準再生時の搬送速度で搬送しながら前記画像データを再生し、その後、前記スロー再生モードに対応した速度で前記テープ状記録媒体を搬送して前記画像データを再生するよう前記再生手段を制御する制御手段とを備える再生装置。
【発明の詳細な説明】
【技術分野】
【０００１】
本発明は再生装置に関し、特に、符号化された画像データのスロー再生時の処理に関する。
【背景技術】
【０００２】
従来、動画像データをＭＰＥＧ方式により符号化して磁気テープに記録する装置が知られている（例えば、特許文献１参照）。特許文献１のＶＴＲによれば、この様にＭＰＥＧ符号化して記録した画像データのスロー再生処理について記載されており、例えば、１／Ｎ倍速のスロー再生時において、テープを通常再生時の１／Ｎの速度で搬送すると共に、デコーダの処理を通常再生時の１／Ｎのタイミングで実行する。
【特許文献１】特開２００２−１０２０４号
【発明の開示】
【発明が解決しようとする課題】
【０００３】
ＭＰＥＧ符号化では、周知の様にフレーム内符号化（Ｉピクチャ）とフレーム間予測符号化（Ｐピクチャ、Ｂピクチャ）とを用いて符号化処理を行っている。また、ＭＰＥＧ２においては、デコード時に仮想バッファメモリに蓄積されている符号量に関するＶＢＶ−Ｄｅｌａｙ情報が付加されており、各ピクチャのデータをデコードする場合に、このＶＢＶ−Ｄｅｌａｙに基づいて決定された符号量のデータがメモリに蓄積されていない場合に、データがアンダーフローする恐れがある。
【０００４】
そのため、スロー再生開始後、この様にデコードに必要なデータがメモリに蓄積されるまでデータの画像デコード、表示を開始することができないことになる。
【０００５】
しかしながら、特許文献１のＶＴＲでは、スロー再生において１／Ｎの速度でテープの搬送を行うため、スロー再生の開始時においてはデコードに必要なデータがメモリに蓄積されるまでの期間が通常再生時に比べて長くなってしまい、その結果、画像が表示されるまで待たされる期間が通常再生時よりも長くなってしまう。
【０００６】
本発明はこの様な問題を解決し、スロー再生時においても迅速に画像を表示する再生装置を提供することを目的とする。
【課題を解決するための手段】
【０００７】
本発明は、テープ状記録媒体を搬送し、フレーム内符号化とフレーム間予測符号化とをフレーム毎に選択的に用いて符号化された画像データを含む画像データ列を前記テープ状記録媒体から再生する再生手段と、前記再生手段により再生された画像データ列を記憶するメモリと、前記メモリに記憶された画像データを読み出して復号する復号手段と、標準再生時よりも遅い速度で前記画像データを再生するスロー再生モードの開始の指示に応じて、所定量の前記画像データが前記メモリに蓄積されるまで前記テープ状記録媒体を前記標準再生時の搬送速度で搬送しながら前記画像データを再生し、その後、前記スロー再生モードに対応した速度で前記テープ状記録媒体を搬送して前記画像データを再生するよう前記再生手段を制御する制御手段とを備える。
【発明の効果】
【０００８】
本発明によれば、スロー再生開始から、画像が出力までの期間を短くすることができる。
【発明を実施するための最良の形態】
【０００９】
図１は本発明が適用されるＶＴＲの再生系の構成を示す図である。
【００１０】
本実施形態のＶＴＲでは、ＭＰＥＧ２方式で符号化された画像データを磁気テープから再生する。
【００１１】
まず、通常の再生時の処理を説明する。
【００１２】
操作部１１０より通常再生の指示があると、制御部１０９は搬送部１０８に対し、通常再生時の速度でテープＴを搬送するよう指示する。再生部１０１は磁気ヘッド、アンプなどを含み、テープＴ上の多数のトラックから符号化された画像データを含むデータ列を再生し、再生処理部１０２に出力する。再生処理部１０２は再生されたデータ列を復調すると共に、エラー訂正処理を施して分配器１０３に出力する。分配器１０３は、再生データ列からＭＰＥＧデータを検出してメモリ（バッファメモリ）１０４に出力すると共に、再生データ列中、所定の位置に挿入されている付加データ（ＡＵＸデータ）を検出し、ＡＵＸバッファ１０７に出力する。
【００１３】
本形態で扱うＭＰＥＧデータは、１ＧＯＰを１５フレームで構成しており、また、２フレームのＢピクチャ毎にＰピクチャを挿入している。そして、一つのＩピクチャあるいはＰピクチャと、それに続く２フレームのＢピクチャからなる３ピクチャのデータを一つのパックユニットと呼び、このパックユニット毎に、このパックユニットのデータに関する付加情報（ビデオＡＵＸデータ）を挿入している。このＡＵＸデータには、このパックユニットに含まれるデータの種類（ＩピクチャあるいはＰピクチャ）と、デコード時に必要とされるＶＢＶバッファの蓄積時間（ＶＢＶ−Ｄｅｌａｙ）情報を含んでいる。
【００１４】
また、ＭＰＥＧデータには音声データも含まれているが、この３フレーム分の画像データに対応する音声データも一つのパックユニット内に格納されている。
【００１５】
一つのパックユニットの様子を図２に示す。
【００１６】
また、テープ上に図２のパックユニットが記録される様子を図３に示す。
【００１７】
図３では、トラック番号０の途中から音声ＡＵＸデータが記録され、次に複数の音声データＰＥＳ（Ｐａｃｋｅｔｉｚｅｄ  Ｅｌｅｍｅｎｔａｒｙ  Ｓｔｒｅａｍ）、ビデオＡＵＸデータ、ビデオデータＰＥＳが記録された後、トラック番号７の途中から次のパックユニットが記録されている。
【００１８】
制御部１０９は、ＡＵＸバッファ１０７に書き込まれたＡＵＸデータに含まれるＶＢＶ−Ｄｅｌａｙデータに基づき、各ピクチャの蓄積時間が経過するごとにデコーダ１０５にピクチャデータのデコードを指示する。デコーダ１０５は制御部１０９から指示があるごとにメモリ１０５から１ピクチャ分のデータを読み出し、デコードする。そして、デコードした画像データを出力部１０６に出力する。出力部１０６は、デコードされた画像データを内部のメモリに記憶し、出力するフレームの順序を並べ替えて出力する。
【００１９】
次に、スロー再生時の処理を説明する。図４はスロー再生時における制御部１０９の処理を示すフローチャートである。
【００２０】
操作部１１０よりスロー再生の指示があると、制御部１０９は搬送部１０８に対し、テープＴを通常再生速度で搬送するよう指示する。搬送部１０８はこの支持により、テープＴを通常再生時と同じ速度で搬送する。そして、通常再生時と同様に、再生部１０１、再生処理部１０２によりテープＴからデータを再生し、分配器１０３によりＭＰＥＧデータとＡＵＸデータが検出され、メモリ１０４とＡＵＸバッファ１０７にそれぞれ格納される（Ｓ４０１）。
【００２１】
制御部１０９はＡＵＸバッファ１０７に格納されたビデオＡＵＸデータに基づいて、Ｉピクチャのデータが再生されるまで待つ（Ｓ４０２）。Ｉピクチャが再生されたら、ＡＵＸバッファ１０７に格納されたＶＢＶ−ＤｅｌａｙデータよりこのＩピクチャのＶＢＶ−Ｄｅｌａｙ時間を検出する（Ｓ４０３）。そして、このＶＢＶ−Ｄｅｌａｙ時間より、必要なＶＢＶバッファのデータ蓄積量を算出する。
【００２２】
データ蓄積量は、ＶＢＶ−Ｄｅｌａｙ時間とシステムクロック周波数（メモリ１０７からのデータ読み出しレート）とを乗算することで求めることができる。
【００２３】
そして、算出した蓄積量のデータがメモリ１０４に蓄積されるまで、テープＴを通常再生速度で搬送しつづけ（Ｓ４０５）、データの蓄積が完了すると、テープの搬送速度をスロー再生の倍速に対応した速度に変更するよう、搬送部１０８を指示する。本形態では、スロー再生時の再生倍速を１／３倍としているので、テープＴの搬送速度を通常再生時の１／３の速度に変更する（Ｓ４０６）。
【００２４】
その後、メモリ１０４に蓄積されたＭＰＥＧデータのデコードを開始するが、このとき、前記の特許文献１に記載されているように、スロー再生速度に対応したタイミングでデコードするよう、デコーダ１０５を制御する（Ｓ４０７）。
【００２５】
デコード開始後は、メモリ１０４に蓄積されているデータ量とＶＢＶ−Ｄｅｌａｙ情報より算出した蓄積データ量とに基づいてテープＴの搬送速度を調整する（Ｓ４０８）。この処理を図５に示す。
【００２６】
デコードを開始すると、ＡＵＸデータに含まれるＶＢＶ−Ｄｅｌａｙ情報を検出し（Ｓ５０１）、ＶＢＶ−Ｄｅｌａｙ情報により規定されるバッファモデルのデータ蓄積量Ａを算出する（Ｓ５０２）。
【００２７】
また、メモリ１０４に対するデータの書き込みアドレスと読み出しアドレスとの差から、現在メモリ１０４に蓄積されている実際のデータ量Ｂを検出する。そして、これらのデータ蓄積量Ａと実際のデータ蓄積量Ｂとの差を検出する（Ｓ５０３）。
【００２８】
そして、この差に基づき、差が所定値（０）となり、メモリ１０４のデータ蓄積量が目標値となるよう、搬送部１０８によるテープＴの搬送速度を調整する（Ｓ５０４）。具体的には、データ蓄積量Ａの方が多い場合にはテープＴの搬送速度を遅くし、データ蓄積量Ｂの方が多い場合にはテープＴの搬送速度を速くする。
【００２９】
この様にテープＴの搬送を制御しながら、スロー再生終了の指示があるとテープＴの搬送を停止し、スロー再生を終了する（Ｓ４０９）。
【００３０】
以上説明したように、本実施形態によれば、スロー再生開始時において、ＶＢＶ−Ｄｅｌａｙに規定されるバッファモデルのデータ蓄積量だけ再生データがメモリに蓄積されるまで、テープを通常再生時の速度で搬送し、その後はスロー再生倍速に対応した速度で搬送するので、スロー再生開始からデコードに必要なデータが得られるまでの期間を短くでき、スロー再生開始から画像が出力されるまでの期間を短くすることが可能となる。
【００３１】
また、テープの搬送速度をスロー再生時の倍速に対応した速度で搬送しながら、ＶＶＢ−Ｄｅｌａｙより求めたデータ蓄積量と実際の蓄積量との差に基づいてテープの搬送速度を調整するので、スロー再生中にもバッファメモリのアンダーフローやオーバーフローを防ぐことができる。
【００３２】
なお、前述の実施形態では、１／３倍のスローについて説明したが、これ以外の速度でスロー再生を行う場合にも同様に本発明を適用可能である。
【図面の簡単な説明】
【００３３】
【図１】本発明が適用される再生装置の構成を示す図である。
【図２】１パックユニットのデータの様子を示す図である。
【図３】テープ上での記録データの様子を示す図である。
【図４】スロー再生時の処理を示すフローチャートである。
【図５】スロー再生時の処理を示すフローチャートである。
【図１】
2006020195.tif 000003
【図２】
2006020195.tif 000004
【図３】
2006020195.tif 000005
【図４】
2006020195.tif 000006
【図５】
2006020195.tif 000007